(57)【特許請求の範囲】
【請求項１】
電子機器の機種ごとに固有に割り当てられる機種ＩＤと、前記機種ＩＤごとに一つ又は複数の外的要因情報と、前記外的要因情報ごとに数値化された評価ポイントと、を格納する記憶部と、
優先情報提示工程までに入力された前記外的要因情報ごとに数値化された前記評価ポイントに基づいて買取り優先順位を電子機器の機種ごとに演算して決定する制御部と、
少なくとも前記機種ＩＤや外的要因情報を入出力する入出力部と、
前記電子機器に固有に割り当てられる識別子を読み取る識別子読取部を備え、
前記記憶部は、前記識別子ごとに、前記電子機器の個人情報の消去工程を含む商品化の工程ごとの開始または完了を示す工程管理情報を格納し、
前記制御部は、優先対象決定工程までに入力された前記外的要因情報ごとに数値化された前記評価ポイントに基づいて、前記商品化の工程を行う優先順位を前記識別子ごとに演算して決定する価値決定システム。
【請求項２】
前記電子機器は、携帯端末であり、
前記記憶部は、前記携帯端末に固有に割り当てられる識別子ごとに前記携帯端末の等級を示すランクを格納し、
前記制御部は、前記ランクと、入札する際の落札希望価格や個別販売する際の販売価格を決定する基準となる、価値決定工程までに入力された前記外的要因情報ごとに数値化された前記評価ポイントに基づいて算出された優先順位情報に基づいて、入札する際の落札希望価格や個別販売する際の販売価格を決定するための価値を演算する、請求項１に記載の価値決定システム。
【請求項３】
前記記憶部は、前記識別子ごとに検査工程において検査された前記携帯端末の検査結果を検査項目別に格納する検査結果ファイルを格納し、
前記制御部は、前記識別子ごとに前記検査結果ファイルから前記検査結果を読み出して前記ランクを判定する、請求項２に記載の価値決定システム。
【発明の詳細な説明】
【技術分野】
【０００１】
本発明は、再商品化した電子機器の価値決定システムに関する。
【背景技術】
【０００２】
昨今、スマートフォンやタブレット端末のような携帯端末は幅広い世代の人々に人気がある。加えて、携帯端末はモデルチェンジが頻繁に行われ、新機種が次々と販売される。
【０００３】
携帯端末の需要者は、できるだけ安く新機種を購入したいと考えることが多い。他方、携帯端末の販売者は、できるだけ早期に新機種に買い替えてほしいと考えている。
【０００４】
そこで、携帯端末の販売者は、需要者からその需要者が現在使用している携帯端末を買い取り、その代金分を新機種の購入価格に充当することによって販売価格を引き下げ、買い替え需要を喚起している。買い取られた携帯端末は、所定の処理が行われて再商品化された後に中古市場において販売され、買い取り代金が回収される。
【０００５】
このような携帯端末の流通の仕方において、需要者から需要者の携帯端末を適正な価格によって買い取る必要性が生まれる。例えば、非常に良い状態の携帯端末に低い価格を設定してしまうと需要者の買い替える欲求は衰えてしまう。しかし、非常に状態の悪い携帯端末に高い価格を付けてしまうと、携帯端末の販売者は中古市場において販売する際に買い取り代金を回収できなくなってしまう。
【０００６】
この点に関し、特許文献１に示すように、携帯端末の機種、及び状態等を自動的に判定し、状態に応じたグレードを決定し、その機種のそのグレードの市場価格を買い取り価格とする携帯電話のリサイクル装置が提案されている。このリサイクル装置によれば、携帯電話の状態に応じた買取り価格を客観的に決めることができる。
【先行技術文献】
【特許文献】
【０００７】
【特許文献１】特開２０１６−３５７５８号公報
【発明の概要】
【発明が解決しようとする課題】
【０００８】
しかし、再商品化されて販売される携帯端末の価値は、携帯端末の状態だけでなく、市場要求等の外的要因にも左右される。この外的要因は、例えば、販売時期によって変わるので、再商品化の処理作業を、携帯端末の単純に入荷順に行うと、携帯端末の価値が高いときに販売できないこともある。
また、外的要因の予測を、買い取りの担当者の主観で行うと、その予測が外れる可能性もある。そして、このように機器の状態だけでなく外的要因に左右されるのは、携帯端末以外の電子機器においても同様であり、他の電子機器においても、再商品化されて販売される場合がある。
そこで、携帯端末を含む電子機器について、その機器の状態だけでなく、市場要求等の外的要因をも考慮して客観的に電子機器の価値を確定させる価値決定システムがあると、電子機器の再商品化事業による高収益が期待される。
【０００９】
従って本発明が解決しようとする課題は、電子機器の再商品化において携帯端末の状態だけでなく、市場要求等の外的要因をも考慮して客観的に電子機器の価値を確定させる価値決定システムを提供することにある。
【課題を解決するための手段】
【００１０】
上記課題を解決することを目的としてなされた本発明の価値決定システムは、電子機器の機種ごとに固有に割り当てられる機種ＩＤと、機種ＩＤごとに一つ又は複数の外的要因情報と、外的要因情報ごとに数値化された評価ポイントと、を格納する記憶部と、評価ポイントに基づいて買取り優先順位を電子機器の機種ごとに演算して決定する制御部と、少なくとも機種ＩＤや外的要因情報を入出力する入出力部と、を備えることを特徴とする。
【００１１】
本発明の価値決定システムは、電子機器に固有に割り当てられる識別子を読み取る識別子読取部を備え、記憶部が、識別子ごとに、電子機器の個人情報の消去工程を含む商品化の工程ごとの開始または完了を示す工程管理情報を格納し、制御部が、商品化の工程を行う優先順位を識別子ごとに演算して決定することが好ましい。
【００１２】
本発明の価値決定システムは、記憶部が、電子機器に固有に割り当てられる識別子ごとに携帯端末の等級を示すランクを格納し、制御部が、ランクと入札する際の落札希望価格や個別販売する際の販売価格を決定する基準となる優先順位情報に基づいて、入札する際の落札希望価格や個別販売する際の販売価格を決定するための価値を演算することが好ましい。
【００１３】
本発明の価値決定システムは、記憶部が、識別子ごとに検査工程において検査された電子機器の検査結果を検査項目別に格納する検査結果ファイルを格納し、制御部が、識別子ごとに検査結果ファイルから検査結果を読み出してランクを判定することが好ましい。
【発明の効果】
【００１４】
本発明の価値決定システムによれば、電子機器の再商品化において携帯端末の状態だけでなく、市場要求等の外的要因をも考慮して客観的に電子機器の価値を確定させることができる。
【図面の簡単な説明】
【００１５】
【図１】携帯電話の再商品化システムの構成を示す図。
【図２】第一末端データベースのデータ構成を示す図。
【図３】評価ファイルのデータ構成を示す図。
【図４】優先順位決定ファイルのデータ構成を示す図。
【図５】第二末端データベースのデータ構成を示す図。
【図６】ランク判定基準を示す図。
【図７】検査結果ファイルのデータ構成を示す図。
【図８】トランザクションファイルのデータ構成を示す図。
【図９】出品明細データベースのデータ構成を示す図。
【図１０】応札ファイルのデータ構成を示す図。
【図１１】落札ファイルのデータ構成を示す図。
【図１２】インボイスファイルのデータ構成を示す図。
【図１３】携帯電話再商品化工程管理装置の動作を示すフローチャート。
【図１４】商品化サーバの優先情報提示工程の動作を示すフローチャート。
【図１５】商品化サーバの優先対象決定工程の動作を示すフローチャート。
【図１６】商品化サーバのグレーディング工程の動作を示すフローチャート。
【図１７】商品化サーバの価値決定工程の動作を示すフローチャート。
【図１８】商品化サーバの入札・インボイス生成処理の工程の動作を示すフローチャート。
【図１９】商品化サーバの個別販売・インボイス生成処理の工程の動作を示すフローチャート。
【発明を実施するための形態】
【００１６】
以下、本発明の一実施形態にかかる再商品化した電子機器の価値決定システムを、図面を参照しながら説明する。
電子機器としては、携帯電話、スマートフォン、ノートパソコン、タブレット端末などの携帯端末や、デスクトップパソコン、ワークステーションサーバーなどの端末装置を例示することができる。
以下に、電子機器として例示した携帯端末が携帯電話の場合を例に挙げて説明する。
【００１７】
本実施形態において、価値決定システムは、携帯電話再商品化システム１に用いられている。
図１は、携帯電話再商品化システム１の構成を示すブロック図である。
携帯電話再商品化システム１は、図１に示すように、商品化サーバ１００と、識別子読取部であるバーコードリーダ１０６と、識別子出力部であるバーコードプリンタ１０７と、を備える。
携帯電話再商品化システム１は、下取者から商品化のために受け入れた携帯電話を再商品化させて、応札を受け入れる入札処理又は個別販売処理を行うまでの過程において、価値決定システム１０により、市場状況など、外的要因を考慮して高値の商品を優先的に商品化することができる。
商品化サーバ１００は、インターネットのような公衆通信回線網３０を介して、下取業者端末２０や応札者端末４０と接続することができる。
以下に、携帯電話再商品化システム１を構成する要素ごとに説明する。
【００１８】
〔商品化サーバ１００〕
商品化サーバ１００は、いわゆるサーバコンピュータであり、制御部１０１と、入出力部１０２と、記憶部１０３と、通信部１０４と、時計部１０５と、を備える。
【００１９】
〔制御部１０１〕
制御部１０１は、演算装置であるＣＰＵ（central processing unit）を含む。ＣＰＵは、記憶部１０３に記憶されたプログラムに従って、各種の情報処理や制御を行う。
【００２０】
〔入出力部１０２〕
入出力部１０２は、キーボード、ディスプレイ又はタッチパネル、マウスなどの入出力装置を含む。入出力部１０２は、管理者からの操作入力を受け付けて、操作入力に応じた操作信号を制御部１０１へと出力する。管理者は任意のタイミングにて図示を省略する管理画面を入出力部１０２のディスプレイ等の表示部に表示させ、操作入力した内容や各工程の進捗を確認することができる。
入出力部１０２は、管理者のもとに１台以上配置されていてもよく、各作業者のもとにそれぞれ１台以上配置されていてもよい。これらの入出力部１０２はいわゆるクライアントコンピュータであってもよい。
【００２１】
〔記憶部１０３〕
記憶部１０３は、メモリ、ハードディスクドライブなどの記憶装置を含む。記憶部１０３は、第一端末データベース１０３Ａと、評価ファイル１０３Ｂと、優先順位決定ファイル１０３Ｃと、第二端末データベース１０３Ｄと、検査結果ファイル１０３Ｅと、トランザクションファイル１０３Ｆと、出品明細データベース１０３Ｇと、応札ファイル１０３Ｈと、落札ファイル１０３Ｉと、インボイスファイル１０３Ｊと、を記憶する。
【００２２】
［第一端末データベース１０３Ａ］
図２は、第一端末データベース１０３Ａのデータ構成を示す図である。図２に示すように、第一端末データベース１０３Ａは、携帯電話の機種ごとに固有に割り当てられる機種ＩＤごとに、外的要因情報を格納する。
【００２３】
外的要因情報は、図２に示すように、携帯電話の機種ごとに固有に割り当てられる機種ＩＤごとに、販売開始からの経年、総出荷台数情報、イベント情報、将来予測値、その他の要因を格納する。
【００２４】
販売開始からの経年は、機種ＩＤごとに、その機種ＩＤが割り当てられた携帯電話の販売が開始された販売開始日時を含む。
【００２５】
総出荷台数情報は、機種ＩＤごとに、これまでの出荷台数情報を含む。総出荷台数情報は、適宜更新される。
【００２６】
イベント情報は、定期的に行われる定期イベントと、定期イベントの開催日時を示す定期イベント開催日時と、不定期的に行われる不定期イベントと、不定期イベントの開催日時を示す不定期イベント開催日時と、が含まれる。不定期に行われるイベントは、行われることが分かった段階で予め作業者により登録されている。
【００２７】
定期イベントは、例えば、小学校、中学校、高校で設けられている、いわゆる「春休み」などの学年末休業や学年始休業などである。
不定期イベントは、例えば、携帯電話の通信サービスを提供している会社である、いわゆる携帯キャリアが行う「乗り換えキャンペーン」などである。
【００２８】
将来予測値には、政治情勢や国際情勢、或いは経済情勢や技術革新などが含まれる。
例えば、政治情勢としては、通信契約を伴う端末代金の割引や、端末購入に伴う通信料金の割引が禁止される、いわゆる端末分離策が将来行われる可能性の有無が考えられる。仮に端末分離策が行われた場合に、端末購入の際に補助が受けられなくなった需要者が再商品化した携帯電話を購入しようとすることが想定される。そこで、端末分離策が行われた場合に購買数が多いと想定される機種を高額買取対象とする。
国際情勢としては、外国為替及び外国貿易法などの法令上の規制による特定の国に対しての携帯電話の輸出量の変動等が考えられる。
技術革新としては、５Ｇといわれる第５世代移動通信システムのような、次世代通信システムの開発などが考えられる。
【００２９】
その他の要因としては、例えば、通信キャリアの動向などが考えられる。
通信キャリアの動向としては、例えば、新たに次世代移動通信システムによるサービスの開始や、新機種販売のプレスリリースや、料金プランの改訂などが考えられる。
【００３０】
［評価ファイル１０３Ｂ］
図３は、評価ファイル１０３Ｂのデータ構成を示す図である。
図３に示すように、評価ファイル１０３Ｂは、機種ＩＤごとに、外的要因情報ごとに数値化された評価ポイントと、その合計の合計ポイントと、を格納する。
【００３１】
評価ポイントは、例えば、以下のようにポイントが設定される。
販売開始時期からの経年の場合は、経年が少ないとポイントが低くなるように設定される。例えば、販売開始日時から経年の年数が計算されて、計算された経年の年数が３年であった場合には１０ポイントが格納され、経年の年数が２年であった場合に５ポイントが格納され、経年の年数が１年であった場合に０ポイントが格納される。
総出荷台数の場合は、総出荷台数の少ないとポイントが低くなるように設定される。例えば、所定の出荷台数以上の場合に１０ポイントが格納され、所定の出荷台数以上の場合に５ポイントが格納される。
【００３２】
イベント情報の場合は、定期イベントのポイントが設定され、そのポイントが開催日時により変動する。例えば、定期イベントである「春休み」までの期間が、後述する携帯電話の再商品化の作業を行うために必要な所定の期間より短い場合に１０ポイントが格納され、長い場合に５ポイントが格納される。
不定期イベントも同様である。つまり、不定期イベントである「乗り換えキャンペーン」までの期間が、後述する携帯電話の再商品化の作業を行うために必要な所定の期間より短い場合に１０ポイントが格納され、長い場合に２ポイントが格納される。
この例では、「春休み」と「乗り換えキャンペーン」までの期間がどちらも携帯電話の再商品化の作業を行うために必要な所定の期間よりも長い場合には、「乗り換えキャンペーン」が優先されやすくなっている。
【００３３】
合計ポイントは、総合計でも所定の項目の合計でもよい。
具体的には、合計ポイントは、後述する優先情報提示工程、優先対象決定工程及び価値決定工程で考慮されるが、優先情報提示工程の時点でイベント情報がない場合は、イベント情報以外の項目の合計が合計ポイントになり、その後、優先対象決定工程の前にイベント情報が入力された場合には、優先対象決定工程において、イベント情報の項目も含む合計が合計ポイントになる。
【００３４】
［優先順位決定ファイル１０３Ｃ］
図４は、優先順位決定ファイル１０３Ｃのデータ構成を示す図である。
優先順位決定ファイル１０３Ｃは、評価ファイル１０３Ｂから抽出した機種ＩＤと、機種ＩＤごとの合計ポイントと、個々の合計ポイントから決定した優先順位情報と、を格納する。
【００３５】
優先順位情報は、各々の機種ＩＤに関連付けられた合計ポイントを比較することにより求められる。
具体的には、商品化サーバ１００は、機種ＩＤに基づいて評価ファイル１０３Ｂから合計ポイントを読み出し、読み出した合計ポイントのうち最も低い合計ポイントが格納されている外的要因評価ファイル１０３の機種ＩＤを読出して第一優先対象とし、次に低い合計ポイントが格納されている外的要因評価ファイル１０３の機種ＩＤから順に読出して第二・第三優先対象とする。
【００３６】
優先順位情報は、図１３に示す優先情報提示工程（Ｓ１）、優先対象決定工程（Ｓ３）、価値決定工程（Ｓ１０）において用いられる。
具体的には、優先情報提示工程（Ｓ１）においては、計端電話の下取り業者から優先的に買取る機種の情報を提示するのに用いられ、優先対象決定工程（Ｓ３）においては、充電工程（Ｓ４）から箱詰め工程（Ｓ１１）までの工程を行う優先順位を判定に用いられ、価値決定工程（Ｓ１０）においては、ランクとともに価値を判定するのに用いられる。
【００３７】
［第二端末データベース１０３Ｄ］
図５は、第二端末データベース１０３Ｄのデータ構造を示す図である。
第二端末データベース１０３Ｄは、図２に示すように、バーコードＮｏ．ごとに、工程管理のために携帯電話を識別して管理する情報である管理情報と、携帯電話の状態に関する情報である端末情報と、端末の状態によって定められる等級であるランクと、後述する受入工程から出庫工程までの各工程が完了したか否かの情報を含む工程管理情報と、優先順位決定ファイル１０３Ｃから抽出した機種ＩＤ及び優先順位情報と、を格納する。
【００３８】
管理情報は、例えば、仕入れ先に固有に割り当てられる識別子である仕入れ先コードと、携帯電話が商品化作業の際に載置されるトレイに固有に割り当てられる識別子であるトレイＮｏ．と、携帯電話が収納される箱に固有に割り当てられる識別子であるボックスＮｏ．と、を含む。
【００３９】
端末情報は、携帯電話のメーカーと、携帯電話の型番と、携帯電話の通信キャリアを示すキャリアと、携帯電話ごとに固有に割り当てられる識別子であるＩＭＥＩ（International Mobile Equipment Identity）と、携帯電話の色と、を含む。
【００４０】
図６は、ランク判定基準を示す図である。
ランクは、各検査項目の検査結果の総合計に基づいて、図６に示すように判定される。
例えば、検査結果の総合計が１９ポイント以下であればＡランクが付与される。ランクは検査結果の総合計が低いほど良いランクが付与される。
【００４１】
工程管理情報は、例えば、携帯電話の受け入れ処理の完了を示す受入工程完了フラグと、受け入れ処理の完了日時を示す受入工程完了日時と、携帯電話の充電作業の完了を示す充電工程完了フラグと、充電作業の完了日時を示す充電完了日時と、ＩＭＥＩを含む各種の情報を取得する情報取得処理の完了を示す情報取得工程完了フラグと、情報取得処理の完了日の日時を示す情報取得工程完了日時と、携帯電話の仕分け処理の完了を示す仕分け工程完了フラグと、仕分け処理完了日の日時を示す仕分け工程工程完了日時と、携帯電話の個人データの消去処理の完了を示す消去工程完了フラグと、消去処理の完了日時を示す消去工程完了日時と、消滅処理の成功を示す消滅処理成否フラグと、携帯電話のグレーディングの完了を示すグレーディング工程完了フラグと、グレーディングの完了日時を示すグレーディング完了日時と、を含む。
工程管理情報は、さらに、工程ごとに担当した作業者を示すスタッフＩＤを含んでいてもよい。
【００４２】
［検査結果ファイル１０３Ｅ］
検査結果ファイル１０３Ｅは、バーコードＮｏ．ごとに、携帯電話の検査項目ごとの検査結果を格納する。
図７は、検査結果ファイル１０３Ｅのデータ構成を示す図である。
具体的には、検査結果ファイル１０３Ｅは、図７に示すように、バーコードＮｏ．ごとに、携帯電話の動作状態、外観状態、水没反応などの障害履歴などの検査項目ごとに数値化された検査結果であるポイントを格納する。
【００４３】
例えば、ボタン動作が良好であった場合には０ポイントが格納され、バイブ動作を全く行えない場合には１０ポイントが格納され、液晶パネルに小さな傷がある場合には５ポイントが格納される。
【００４４】
［トランザクションファイル１０３Ｆ］
図８は、トランザクションファイル１０３Ｆのデータ構成を示す図である。
トランザクションファイル１０３Ｆは、図８に示すように、第二端末データベース１０３Ｄから抽出したバーコードＮｏ．ごとに、第二端末データベース１０３Ｄから抽出された管理情報と、端末情報と、ランクと、第二末端データベース１０３Ｄから読みだした価値に基づいて決定された落札希望価格と、を含むトランザクションデータを格納する。
【００４５】
［出品明細データベース１０３Ｇ］
図９は、出品明細データベース１０３Ｇのデータ構成を示す図である。
出品明細データベース１０３Ｇは、図９に示すように、入札のための情報である入札関連情報として、出品ごとに固有に割り当てられる識別子である出品明細ＩＤごとに、入札に関する基本情報である入札情報と、端末情報と、ランクと、を格納する。
入札情報は、入札者に固有に割り当てられる入札者ＩＤと、個々の携帯電話に固有に割り当てられる商品ＩＤと、を含む。
【００４６】
［応札ファイル１０３Ｈ］
図１０は、応札ファイル１０３Ｈのデータ構成を示す図である。
応札ファイル１０３Ｈは、図１０に示すように、応札ごとに固有に割り当てられる識別子である応札ＩＤごとに、応札者に固有に割り当てられる識別子である応札者ＩＤ及び商品ＩＤを含む応札情報と、応札金額と、を格納する。
【００４７】
［落札ファイル１０３Ｉ］
図１１は、落札ファイル１０３Ｉのデータ構成を示す図である。
落札ファイル１０３Ｉは、図１１に示すように、落札ごとに固有に割り当てられる識別子である落札ＩＤごとに、落札に関する情報である落札情報と、端末情報と、ランクと、落札金額と、を格納する。
落札情報は、落札した入札者の応札者ＩＤと、落札した携帯電話の商品ＩＤと、落札した携帯電話のバーコードＮｏ．と、を含む。
【００４８】
［インボイスファイル１０３Ｊ］
図１２は、インボイスファイル１０３Ｊのデータ構成を示す図である。
インボイスファイル１０３Ｊは、図１２に示すように、インボイスごとに固有に割り当てられる識別子であるインボイスＮｏ．ごとに、落札情報と、端末情報と、ランクと、落札金額と、を格納する。
【００４９】
〔通信部１０４〕
通信部１０４は、外部機器との通信を行うほか、公衆通信回線網３０を介して、下取業者端末２０や応札者端末４０と通信を行う。
【００５０】
〔時計部１０５〕
時計部１０５は、現在の日時を計時し、例えば、後述する作業工程の完了日時の入力や、販売開始日時から経年の年数の算出や、定期イベントや不定期イベントまでの期間の算出や、応札者からの応札があった時から応札者を決定するまでの所定時間の算出などに使用される。
【００５１】
〔バーコードリーダ１０６〕
バーコードリーダ１０６は、バーコードを読込み、デコードして制御部１０１に出力する。
【００５２】
〔バーコードプリンタ１０７〕
バーコードプリンタ１０７は、バーコードＮｏ．をバーコードにエンコードしてラベル
に画像形成する。
【００５３】
〔下取業者端末２０及び応札者端末４０〕
下取業者端末２０は、いわゆるパーソナルコンピュータ或いはいわゆるタブレット端末であり、ＣＰＵなどの演算装置を含む制御部と、キーボード、ディスプレイ或いはタッチパネル、マウスなどの入出力装置を含む入出力部と、メモリなどの記憶装置を含む記憶部と、公衆通信回線網３０を介して商品化サーバ１００と通信を行う通信部と、を備える。
応札者端末４０も、下取業者端末２０と同様である。
【００５４】
〈携帯電話再商品化システム１の動作について〉
以下、携帯電話再商品化システム１の動作について説明する。
図１３は、携帯電話再商品化システム１の動作の各工程を示す図である。各工程において、作業者が作業する工程がある場合には、その工程を説明した後に、商品化サーバ１００の動作について説明する。なお、後述する作業者が作業する工程を含む各工程は、それぞれ別の作業者によって実施され、流れ作業の要領によって順に実施される。
【００５５】
〈優先情報提示工程：Ｓ１〉
優先情報提示工程は、下取業者端末２０に優先順位情報を送信する工程である。
図１４は、商品化サーバ１００の優先情報提示工程を示すフローチャートである。
図１４に示すように、ステップＳ１−１において、商品化サーバ１００は、受け入れの対象の候補となる携帯電話に割り当てられた機種ＩＤを、第一端末データベース１０３Ａ又は入出力部１０２から入力する。
【００５６】
ステップＳ１−２において、商品化サーバ１００は、入力された機種ＩＤごとに、評価ポイントを検索して、各項目のポイントを合計して、その結果を合計ポイントに格納する。
【００５７】
ステップＳ１−３において、商品化サーバ１００は、合計ポイントに基づいて優先順位情報を決定する。
【００５８】
ステップＳ１−４において、商品化サーバ１００は、決定した優先順位情報を、第一端末データベース１０３Ａに各機種ＩＤごとに格納する。
【００５９】
商品化サーバ１００は、第一端末データベース１０３Ａに各機種ＩＤごとに格納された優先順位情報を、下取業者端末２０に送信する。
下取者は、優先順位情報に示された優先順位が高い機種ＩＤのものほど、買取り価値が高いと認識する。
【００６０】
〈受入工程：Ｓ２〉
ステップＳ２において、作業者は受入工程を実施する。
受入工程においては、商品化サーバ１００がバーコードＮｏ．を発番し、バーコードプリンタ１０７によってバーコードＮｏ．をラベルに出力する。
【００６１】
作業者はラベルを携帯電話に貼付し、バーコードＮｏ．を示すバーコードをバーコードリーダ１０６によって読み取るとともに、受入工程開始を示すバーコードをバーコードリーダ１０６によって読み取る。
また、優先順位を示すバーコードをバーコードリーダ１０６によって読み取る。
さらに、製品ＩＤが、別途バーコードをスキャンすることにより商品化サーバ１００に入力され、第二端末データベース１０３Ｄに格納される。
【００６２】
バーコードリーダ１０６は、読み取ったバーコードＮｏ．と、受入工程開始を示すコードと、優先順位を示すコードと、を商品化サーバ１００に入力する。
商品化サーバ１００は、受入工程開始を示すコードを入力すると、バーコードＮｏ．に基づいて第二端末データベース１０３Ｄの受入工程完了フラグに受入工程開始を示すフラグを、受入工程完了日時に受入工程開始の日時を格納する。
【００６３】
作業者は、次いで仕入れ先コード、トレイＮｏ．を示すバーコードをバーコードリーダ１０６によって読み取る。バーコードリーダ１０６は、読み取った仕入れ先コードと、トレイＮｏ．とを商品化サーバ１００に入力する。
【００６４】
商品化サーバ１００は、入力された仕入れ先コード、トレイＮｏ．をバーコードＮｏ．に基づいてそれぞれ第二端末データベース１０３Ｄに格納する。
【００６５】
作業者は、受入工程が完了すると、バーコードＮｏ．を示すバーコードをバーコードリーダ１０６によって読み取るとともに、受入工程完了を示すバーコードをバーコードリーダ１０６によって読み取る。
【００６６】
バーコードリーダ１０６は、読み取ったバーコードＮｏ．と受入工程完了を示すコードを商品化サーバ１００に入力する。
商品化サーバ１００は、入力したバーコードＮｏ．に基づいて第二端末データベース１０３Ｄの受入工程完了フラグに受入工程完了を示すフラグを、受入工程完了日時に受入工程完了の日時を格納する。
【００６７】
〈優先対象決定工程：Ｓ３〉
優先情報提示工程は、後述する充電工程（Ｓ４）から箱詰め工程（Ｓ１１）までを行う順番を決定する工程である。
図１５は、商品化サーバ１００の優先情報提示工程を示すフローチャートである。
図１５に示すように、商品化サーバ１００は、ステップＳ３−１において、バーコードＮｏ．を、第二端末データベース１０３Ｄ、バーコードリーダ１０５、及び入出力部１０２のいずれかから入力する。
【００６８】
ステップＳ３−２において、商品化サーバ１００は、入力されたバーコードＮｏ．に格納された機種ＩＤに基づいて優先順位決定ファイル１０３Ｃを検索し、評価結果である各工程の評価ポイントを読み出し合算して、合計ポイントを算出する。
算出された合計ポイントは、日時の変化や、新たに追加された外的要因情報により、上述した優先情報提示工程（Ｓ１）で算出された合計ポイントと、その値が異なる場合がある。
【００６９】
ステップＳ３−３において、商品化サーバ１００は、合算値に基づいて優先順位を判定する。
【００７０】
ステップＳ３−４において、商品化サーバ１００は、判定された優先順位を第一端末データベース１０３Ａに格納する。
【００７１】
〈充電工程：Ｓ４〉
ステップＳ４において、作業者は充電工程を実施する。
充電工程においては、作業者はバーコードＮｏ．を示すバーコードをバーコードリーダ１０６によって読み取るとともに、充電工程開始を示すバーコードをバーコードリーダによって読み取る。
【００７２】
バーコードリーダ１０６は、読み取ったバーコードＮｏ．と、充電工程開始を示すコードを商品化サーバ１００に入力する。
商品化サーバ１００は、充電工程開始を示すコードを入力すると、バーコードＮｏ．に基づいて第二端末データベース１０３Ｄの充電工程完了フラグに充電工程開始を示すフラグを、充電工程完了日時に充電工程開始の日時を格納する。
【００７３】
作業者は、次いで携帯電話を充電器に接続し、充電工程を実施する。
【００７４】
作業者は、充電工程が完了すると、バーコードＮｏ．を示すバーコードをバーコードリーダ１０６によって読み取るとともに、充電工程完了を示すバーコードをバーコードリーダ１０６によって読み取る。
【００７５】
バーコードリーダ１０６は、読み取ったバーコードＮｏ．と充電工程完了を示すコードを商品化サーバ１００に入力する。
商品化サーバ１００は、入力したバーコードＮｏ．に基づいて第二端末データベース１０３Ｄの充電工程完了フラグに充電工程完了を示すフラグを、充電工程完了日時に充電工程完了の日時を格納する。
【００７６】
〈情報取得工程：Ｓ５〉
ステップＳ５において、作業者は情報取得工程を実施する。
情報取得工程においては、作業者はバーコードＮｏ．を示すバーコードをバーコードリーダ１０６によって読み取るとともに、情報取得工程開始を示すバーコードをバーコードリーダによって読み取る。
【００７７】
バーコードリーダ１０６は、読み取ったバーコードＮｏ．と、情報取得工程開始を示すコードを商品化サーバ１００に入力する。
商品化サーバ１００は、情報取得工程開始を示すコードを入力すると、バーコードＮｏ．に基づいて第二端末データベース１０３Ｄの情報取得工程完了フラグに情報取得工程開始を示すフラグを、情報取得工程完了日時に情報取得工程開始の日時を格納する。
【００７８】
作業者は、次いで携帯電話を操作し、各種の情報を取得して入出力部１０２を介して商品化サーバ１００に入力することによって情報取得工程を実施する。この情報取得工程はソフトウエアを用いて行うことができる。
情報取得ソフトウエアとしては、例えばフィンランド国のBlancco Oy Ltd.が提供するBlancco 5 Mobileなどの市販のものを使用することができる。
【００７９】
例えば、作業者は、クライアントコンピュータである入出力部１０２に情報取得ソフトウエアをインストールしておき、この入出力部１０２を携帯電話とケーブルによって接続する。
入出力部１０２は情報取得ソフトウエアによってＩＭＥＩを含む各種の情報を取得する。また、情報取得ソフトウエアは、入出力部１０２にＩＭＥＩをバーコードによって出力する。
作業者はこのバーコードをスキャンして商品化サーバ１００にＩＭＥＩを第二端末データベース１０３Ｄに格納させる。
【００８０】
作業者は、情報取得工程が完了すると、バーコードＮｏ．を示すバーコードをバーコードリーダ１０６によって読み取るとともに、情報取得工程完了を示すバーコードをバーコードリーダ１０６によって読み取る。
【００８１】
バーコードリーダ１０６は、読み取ったバーコードＮｏ．と情報取得工程完了を示すコードを商品化サーバ１００に入力する。
商品化サーバ１００は、入力したバーコードＮｏ．に基づいて第二端末データベース１０３Ｄの情報取得工程完了フラグに情報取得工程完了を示すフラグを、情報取得工程完了日時に情報取得工程完了の日時を格納する。
【００８２】
〈仕分け工程：Ｓ６〉
ステップＳ６において、作業者は仕分け工程を実施する。
仕分け工程においては、作業者はバーコードＮｏ．を示すバーコードをバーコードリーダ１０６によって読み取るとともに、仕分け工程開始を示すバーコードをバーコードリーダによって読み取る。
【００８３】
バーコードリーダ１０６は、読み取ったバーコードＮｏ．と、仕分け工程開始を示すコードを商品化サーバ１００に入力する。
商品化サーバ１００は、仕分け工程開始を示すコードを入力すると、バーコードＮｏ．に基づいて第二端末データベース１０３Ｄの仕分け工程完了フラグに仕分け工程開始を示すフラグを、仕分け工程完了日時に仕分け工程開始の日時を格納する。
【００８４】
作業者は、次いで携帯電話を、例えば機種や色、受入可否、水没反応の有無などによって仕分けをすることにより仕分け工程を実施する。仕分けの結果は、別途バーコードをスキャンすることにより商品化サーバ１００に入力され、第二端末データベース１０３Ｄに格納される。後続の工程においても、携帯電話に商品化に際しての致命的な欠陥が発見された場合には、その理由を示すバーコードがスキャンされ、その携帯電話は商品化作業から「離脱」される。
【００８５】
作業者は、仕分け工程が完了すると、バーコードＮｏ．を示すバーコードをバーコードリーダ１０６によって読み取るとともに、仕分け工程完了を示すバーコードをバーコードリーダ１０６によって読み取る。
【００８６】
バーコードリーダ１０６は、読み取ったバーコードＮｏ．と仕分け工程完了を示すコードを商品化サーバ１００に入力する。
商品化サーバ１００は、入力したバーコードＮｏ．に基づいて第二端末データベース１０３Ｄの仕分け工程完了フラグに仕分け工程完了を示すフラグを、仕分け工程完了日時に仕分け工程完了の日時を格納する。
【００８７】
〈消去工程：Ｓ７〉
ステップＳ７において、作業者は消去工程を実施する。
消去工程においては、作業者はバーコードＮｏ．を示すバーコードをバーコードリーダ１０６によって読み取るとともに、消去工程開始を示すバーコードをバーコードリーダによって読み取る。
【００８８】
バーコードリーダ１０６は、読み取ったバーコードＮｏ．と、消去工程開始を示すコードを商品化サーバ１００に入力する。
商品化サーバ１００は、消去工程開始を示すコードを入力すると、バーコードＮｏ．に基づいて第二端末データベース１０３Ｄの消去工程完了フラグに消去工程開始を示すフラグを、消去工程完了日時に消去工程開始の日時を格納する。
【００８９】
次いで、作業者は、携帯電話から個人情報を完全に消去する消去工程を実施する。携帯電話にいわゆるオールリセットが実施されても、個人情報は完全には消去されずに第三者に読み取られる可能性がある。
【００９０】
そこで、作業者は、携帯電話を、情報末梢ソフトウエアがインストールされた別途設けられる消去用パーソナルコンピュータにケーブルを用いて接続する。消去用パーソナルコンピュータは情報末梢ソフトウエアによって携帯電話の記憶装置にランダムなデータを複数回上書きすることにより個人情報を完全に抹消する。この情報末梢ソフトウエアは、例えばフィンランド国のBlancco Oy Ltd.が提供するBlancco 5 Mobileなどの市販のものを使用することができる。
【００９１】
作業者は、消去工程が完了すると、バーコードＮｏ．を示すバーコードをバーコードリーダ１０６によって読み取るとともに、消去工程完了を示すバーコードをバーコードリーダ１０６によって読み取る。
また、消去作業の結果に応じて、別途設けられる消去の成否に対応するバーコードをバーコードリーダ１０６によって読み取る。
【００９２】
バーコードリーダ１０６は、読み取ったバーコードＮｏ．と、消去工程完了を示すコードと、消去結果を示すコードと、を商品化サーバ１００に入力する。
商品化サーバ１００は、入力したバーコードＮｏ．に基づいて第二端末データベース１０３Ｄの消去工程完了フラグに消去工程完了を示すフラグを、消去工程完了日時に消去工程完了の日時を、消滅処理成否フラグに消去結果を示すフラグを格納する。
【００９３】
〈検査工程：Ｓ８〉
ステップＳ８において、作業者は検査工程を実施する。
検査工程においては、作業者はバーコードＮｏ．を示すバーコードをバーコードリーダ１０６によって読み取るとともに、検査工程開始を示すバーコードをバーコードリーダによって読み取る。
【００９４】
バーコードリーダ１０６は、読み取ったバーコードＮｏ．と、検査工程開始を示すコードを商品化サーバ１００に入力する。
商品化サーバ１００は、検査工程開始を示すコードを入力すると、バーコードＮｏ．に基づいて第二端末データベース１０３Ｄの検査工程完了フラグに検査工程開始を示すフラグを、検査工程完了日時に検査工程開始の日時を格納する。
【００９５】
次いで作業者は、携帯電話の状態を、携帯電話を操作したり目視確認したりすることにより、検査する。作業者は、検査結果を、バーコードリーダ１０６によって各検査結果に対応するバーコードをスキャンすることにより、商品化サーバ１００に入力する。商品化サーバ１００は、検査結果をバーコードＮｏ．ごとに検査結果ファイル１０３Ｅに格納する。
【００９６】
作業者は、検査工程が完了すると、バーコードＮｏ．を示すバーコードをバーコードリーダ１０６によって読み取るとともに、検査工程完了を示すバーコードをバーコードリーダ１０６によって読み取る。
検査工程が完了すると入出力部１０２にランクが表示される。作業者はランクごとに携帯電話を仕分ける。
【００９７】
バーコードリーダ１０６は、読み取ったバーコードＮｏ．と検査工程完了を示すコードを商品化サーバ１００に入力する。
商品化サーバ１００は、入力したバーコードＮｏ．に基づいて第二端末データベース１０３Ｄの検査工程完了フラグに検査工程完了を示すフラグを、検査工程完了日時に検査工程完了の日時を格納する。
【００９８】
〈グレーディング工程：Ｓ９〉
次に、グレーディング動作について説明する。
商品化サーバ１００は、各携帯電話のランクを決定するためのグレーディング動作を行い、各携帯電話のランクをバーコードＮｏ．ごとに第二端末データベース１０３Ｄに格納する。以下、図１６を用いて詳細に説明する。
図１６は、商品化サーバ１００のグレーディング動作を示すフローチャートである。図１６に示すように、ステップＳ９−１において、商品化サーバ１００は、バーコードＮｏ．を、第二端末データベース１０３Ｄ、バーコードリーダ１０６、及び入出力部１０２のいずれかから入力する。
【００９９】
ステップＳ９−２において、商品化サーバ１００は、入力されたバーコードＮｏ．に基づいて検査結果ファイル１０３Ｅを検索し、検査結果である各工程のポイントを読み出し、合算する。
【０１００】
ステップＳ９−３において、商品化サーバ１００は、合算値に基づいてランクを判定する。
【０１０１】
ステップＳ９−４において、商品化サーバ１００は、合算値と判定されたランクを第二端末データベース１０３Ｄに格納する。
【０１０２】
〈価値決定工程：Ｓ１０〉
価値決定工程は、携帯電話の価値を、グレードと外的要因とから判定する工程である。
図１７は、商品化サーバ１００の価値決定工程を示すフローチャートである。図１７に示すように、ステップＳ１０−１において、商品化サーバ１００は、バーコードＮｏ．を、第二端末データベース１０３Ｄ、バーコードリーダ１０６、及び入出力部１０２のいずれかから入力する。
【０１０３】
ステップＳ１０−２において、商品化サーバ１００は、入力されたバーコードＮｏ．に格納された機種ＩＤに基づいて優先順位決定ファイル１０３Ｃを検索し、評価結果である各工程の評価ポイントを読み出し合算して、合計ポイントを算出する。
算出された合計ポイントは、日時の変化や、新たに追加された外的要因情報により、上述した優先情報提示工程（Ｓ１）や優先対象決定工程（Ｓ３）で算出された合計ポイントと、その値が異なる場合がある。
【０１０４】
ステップＳ１０−３において、第二末端データベース１０３Ｄからランクを読み出して、合計ポイントとランクとから、価値を演算する。
【０１０５】
ステップＳ１０−４において、商品化サーバ１００は、判定された価値を第二端末データベース１０３Ｄに格納する。
【０１０６】
〈箱詰め工程：Ｓ１１〉
ステップＳ１１において、作業者は箱詰め工程を実施する。
箱詰め工程においては、作業者はバーコードＮｏ．をバーコードリーダ１０６によって読み取るとともに、箱詰め工程開始を示すバーコードをバーコードリーダ１０６によって読み取る。
【０１０７】
バーコードリーダ１０６は、読み取ったバーコードＮｏ．と、箱詰め工程開始を示すコードを商品化サーバ１００に入力する。
商品化サーバ１００は、箱詰め工程開始を示すコードを入力すると、バーコードＮｏ．に基づいて第二端末データベース１０３Ｄの箱詰め工程完了フラグに箱詰め工程開始を示すフラグを、箱詰め工程完了日時に箱詰め工程開始の日時を格納する。
【０１０８】
次いで、作業者は、携帯電話を箱詰めする。箱詰めは、1個ずつ箱詰めしても、複数個、例えば１００個ずつ箱詰めしてもよい。
作業者は、箱詰め工程が完了すると、バーコードＮｏ．を示すバーコードをバーコードリーダ１０６によって読み取るとともに、箱詰め工程完了を示すバーコードをバーコードリーダ１０６によって読み取る。
【０１０９】
バーコードリーダ１０６は、読み取ったバーコードＮｏ．と箱詰め工程完了を示すコードを商品化サーバ１００に入力する。
商品化サーバ１００は、入力したバーコードＮｏ．に基づいて第二端末データベース１０３Ｄの箱詰め工程完了フラグに箱詰め工程完了を示すフラグを、箱詰め工程完了日時に箱詰め工程完了の日時を格納する。
【０１１０】
〈入札・インボイス生成処理の工程（Ｓ１２）及び個別販売・インボイス生成処理の工程（Ｓ１３）〉
本工程において、商品化サーバ１００は、公衆通信回線網３０を介して接続する応札者端末４０から応札を受け入れる入札処理又は個別販売処理を行う。この際、入札処理の場合には落札価格が、個別販売処理の場合には販売価格が、インボイスファイル１０３Ｊの落札価格に格納される。
初めに入札・インボイス生成処理の動作について説明し、次に、個別販売・インボイス生成処理の動作について説明する。
【０１１１】
〈入札・インボイス生成処理の工程（Ｓ１２）〉
図１８は、商品化サーバ１００の入札・インボイス生成処理の動作を示すフローチャートである。
図１８に示すように、ステップＳ１２−１において、商品化サーバ１００は、入札する、つまりオークションに出品する携帯電話のバーコードＮｏ．をバーコードリーダ１０６及び入出力部１０２のいずれかから入力する。
【０１１２】
ステップＳ１２−２において、商品化サーバ１００は、第二端末データベース１０３Ｄからトランザクションファイル１０３Ｆを生成する。トランザクションファイル１０３ＦはいわゆるＣＳＶ（comma-separated values）ファイルであってもよい。
【０１１３】
ステップＳ１２−３において、商品化サーバ１００は、トランザクションファイル１０３Ｆの内容を出品明細データベース１０３Ｇに、出品明細ＩＤごとに格納する。
【０１１４】
ステップＳ１２−４において、商品化サーバ１００は、応札者端末４０から入力された情報に基づいて応札ファイル１０３Ｈを応札ＩＤごとに生成する。
【０１１５】
ステップＳ１２−５において、応札ＩＤごとに作成された応札ファイル１０３Ｈに格納された応札金額が落札希望価格以上の場合には（ステップＳ１２−５のＹ）、ステップＳ１２−１０に進む。
【０１１６】
ステップＳ１２−１０において、商品化サーバ１００は、商品化サーバ１００は落札者を決定する。具体的には、商品ＩＤに基づいて各応札ファイル１０３Ｈから応札金額を読み出し、落札希望価格以上の応札金額が格納されている応札ファイル１０３Ｈの応札者ＩＤを読出して落札者とする。その後、後述するステップＳ１２−８に進む。
【０１１７】
一方、ステップＳ１２−５において、応札金額が落札希望価格未満の場合には（ステップＳ１２−５のＮ）、ステップＳ１２−６に進む。
ステップＳ１２−６において、商品化サーバ１００は、応札ファイル１０３Ｈが生成されてから、つまり応札者からの応札があった時から、所定時間が経過したかを判定する。商品化サーバ１００は、所定時間が経過したと判定した場合には（ステップＳ１２−６のＹ）、ステップＳ１２−７に進み、所定時間が経過していないと判定した場合には（ステップＳ１２−６のＮ）、ステップＳ１２−５に戻る。
【０１１８】
ステップＳ１２−７において、商品化サーバ１００は落札者を決定する。具体的には、商品ＩＤに基づいて各応札ファイル１０３Ｈから応札金額を読み出し、読み出した応札金額のうち最も高い応札金額が格納されている応札ファイル１０３Ｈの応札者ＩＤを読出して落札者とする。
【０１１９】
ステップＳ１２−８において、商品化サーバ１００は落札ファイル１０３Ｉを生成する。具体的には、落札者の応札ファイル１０３Ｈから応札情報を読出し、応札情報に含まれる商品ＩＤに基づいて出品明細データベースからバーコードＮｏ．、端末情報、及びランクを読み出して落札情報及び端末情報、ランクを生成し、落札者の応札ファイル１０３Ｈの応札金額を落札金額とする。
【０１２０】
ステップＳ１２−９において、商品化サーバ１００はインボイスファイル１０３Ｊを生成する。インボイスファイル１０３Ｊの内容は、落札ファイル１０３Ｉの落札ＩＤの代わりにインボイスＮｏ．が格納されている他は落札ファイル１０３Ｉの内容と同様である。
【０１２１】
商品化サーバ１００は、応札者端末４０からの要求に応じてインボイスファイル１０３Ｊを応札者端末４０に送信する。
【０１２２】
〈個別販売・インボイス生成処理の工程（Ｓ１３）〉
次に、個別販売・インボイス生成処理の動作について説明する。
図１９は、商品化サーバ１００の個別販売・インボイス生成処理の動作を示すフローチャートである。
図１９に示すように、ステップＳ１３−１において、商品化サーバ１００は、応札する携帯電話のバーコードＮｏ．をバーコードリーダ１０６及び入出力部１０２のいずれかから入力する。
【０１２３】
ステップＳ１３−２において、商品化サーバ１００は、第二末端データベース１０３Ｄに格納された価値に基づいて、商談等によって決定した販売価格を入出力部１０２から入力し、メモリに格納する。
【０１２４】
ステップＳ１３−３において、商品化サーバ１００は、インボイスファイル１０３Ｊを生成し、メモリに格納した販売価格を落札金額に格納する。
【０１２５】
商品化サーバ１００は、入出力部１０２から、商品ＩＤ及び販売先を入力し、販売先を落札者ＩＤとしてインボイスファイル１０３Ｊの商品ＩＤ及び落札者ＩＤに格納する。さらに、商品化サーバ１００は、商品ＩＤに基づいて出品明細データベース１０３Ｇから端末情報とランクを読出し、それぞれインボイスファイル１０３Ｊの端末情報トランクに格納する。
商品化サーバ１００は、応札者端末４０からの要求に応じてインボイスファイル１０３Ｊを応札者端末４０に送信する。
【０１２６】
〈出庫工程：Ｓ１４〉
ステップＳ１４において、作業者は出庫工程を実施する。
出庫工程においては、作業者はバーコードＮｏ．を示すバーコードをバーコードリーダ１０６によって読み取るとともに、出庫工程開始を示すバーコードをバーコードリーダによって読み取る。
【０１２７】
バーコードリーダ１０６は、読み取ったバーコードＮｏ．と、出庫工程開始を示すコードをと、インボイスＮｏ．と、を商品化サーバ１００に入力する。
商品化サーバ１００は、出庫工程開始を示すコードを入力すると、バーコードＮｏ．に基づいて第二端末データベース１０３Ｄの出庫工程完了フラグに出庫工程開始を示すフラグを、出庫工程完了日時に出庫工程開始の日時を格納する。
【０１２８】
次いで、作業者は、携帯電話を出庫する。
作業者は、出庫工程が完了すると、バーコードＮｏ．を示すバーコードをバーコードリーダ１０６によって読み取るとともに、出庫工程完了を示すバーコードをバーコードリーダ１０６によって読み取る。
【０１２９】
バーコードリーダ１０６は、読み取ったバーコードＮｏ．と出庫工程完了を示すコードを商品化サーバ１００に入力する。
商品化サーバ１００は、入力したバーコードＮｏ．に基づいて第二端末データベース１０３Ｄの出庫工程完了フラグに出庫工程完了を示すフラグを、出庫工程完了日時に出庫工程完了の日時を格納する。
その後、商品化サーバ１００は、インボイス発行処理を行う。
【０１３０】
〔携帯電話再商品化システム１により奏する効果について〕
以上述べたように、携帯電話再商品化システム１は、携帯電話の機種ごとに固有に割り当てられる機種ＩＤと、機種ＩＤごとに一つ又は複数の外的要因情報と、外的要因情報ごとに数値化された評価ポイントと、を格納する記憶部１００と、評価ポイントに基づいて優先的に買取る携帯電話を決定する基準となる優先順位情報を算出する制御部１０１と、少なくとも前記機種ＩＤや外的要因情報を入出力する入出力部１０２と、を備える。これにより、将来必要とされる機種・数量を把握できる。また、下取業者から、販売できるであろう数量だけ受け入れることができる。さらに、仮に受け入れる数量が需要予測に比べて少ない場合は、下取業者に数量の増加を依頼することができる。
【０１３１】
また、携帯電話再商品化システム１は、携帯電話に固有に割り当てられるバーコードＮｏ．を読み取る識別子読取部であるバーコードリーダ１０６を備え、記憶部１００は、バーコードＮｏ．ごとに、携帯端末の個人情報の消去工程を含む商品化の工程ごとの開始または完了を示す工程管理情報を格納し、制御部１０１は、バーコードＮｏ．ごとに、前記商品化の工程を行う優先順位を決定する基準となる優先順位情報を算出する。これにより、必要とされる機種を優先的に再商品化できるため、高価値の商品をより迅速に商品化することができる。
【０１３２】
さらに記憶部１００は、携帯電話に固有に割り当てられるバーコードＮｏ．ごとに携帯電話の等級を示すランクを格納し、制御部１０１は、ランクと入札する際の落札希望価格や個別販売する際の販売価格を決定する基準となる優先順位情報に基づいて、入札する際の落札希望価格や個別販売する際の販売価格を決定するのに用いる価値を判定する。これにより、再商品化した携帯電話の価値を作業者の主観で決めることなく、市場要求にあった価値を客観的に決めることができる。
【符号の説明】
【０１３３】
１        携帯電話再商品化システム
１００    商品化サーバ
１０１    制御部
１０２    入出力部
１０３    記憶部
１０３Ａ  第一端末データベース
１０３Ｂ  第二端末データベース
１０４    通信部
１０５    記憶部
１０６    バーコードリーダー
１０７    バーコードプリンター
【図１】
0006873495.tif 000002
【図２】
0006873495.tif 000003
【図３】
0006873495.tif 000004
【図４】
0006873495.tif 000005
【図５】
0006873495.tif 000006
【図６】
0006873495.tif 000007
【図７】
0006873495.tif 000008
【図８】
0006873495.tif 000009
【図９】
0006873495.tif 000010
【図１０】
0006873495.tif 000011
【図１１】
0006873495.tif 000012
【図１２】
0006873495.tif 000013
【図１３】
0006873495.tif 000014
【図１４】
0006873495.tif 000015
【図１５】
0006873495.tif 000016
【図１６】
0006873495.tif 000017
【図１７】
0006873495.tif 000018
【図１８】
0006873495.tif 000019
【図１９】
0006873495.tif 000020